(57)【要約】【課題】特許文献１記載の照明設備の監視装置は、不点灯に至るまでの蛍光灯の不具合、つまり、蛍光灯の点滅状態やチラツキ等を検出し、把握することができない。【解決手段】本発明の監視システム１０は、複数の設備機器の負荷を電気的信号として検出するデータ収集器１７と、データ収集器１７からの電気的信号に基づいて設備機器を監視する監視装置１１と、監視装置１１との間の通信を介して設備機器を管理する管理センタ１２とを備え、監視装置１１は、負荷値に対する基準値、移動平均値を記憶するメモリ１４Ｅと、メモリ１４Ｅの現在の負荷値と基準値とを比較し且つこの比較結果に基づいて設備機器の正常、異常を判断する演算制御部１４Ｄと、管理センタ１２との間で通信する携帯無線装置１４Ａとを有する。【選択図】      図１
2004171314.tif 000002
【特許請求の範囲】
【請求項１】
設備機器の負荷を検出する複数の検出部と、これらの検出部からの電気的信号を負荷値として記憶する記憶部と、この記憶部の現在の負荷値と基準値または前日を含む過去の負荷値の平均値とを比較し且つこの比較結果に基づいて上記負荷の正常、異常または負荷変動を判断する演算制御部と、この演算制御部の処理内容に従って上記設備機器の状態を表示する表示部とを備えたことを特徴とする設備機器の監視装置。
【請求項２】
上記設備機器として蛍光灯を設け、上記蛍光灯の球切れを異常として判断し、上記蛍光灯の点滅またはチラツキを負荷変動として判断することを特徴とする請求項１に記載の設備機器の監視装置。
【請求項３】
少なくとも一種類の設備機器の負荷を電気的信号として検出する検出装置と、この検出装置からの電気的信号を負荷値として記憶し且つこの負荷値に基づいて上記設備機器を監視する監視装置と、この監視装置との間の通信を行うことによって上記設備機器の負荷状態を管理する管理センタとを備え、上記監視装置は、上記負荷値に対する基準値、現在及び前日を含む過去の負荷値の平均値を記憶する記憶部と、この記憶部の上記現在の負荷値と上記基準値または上記前日を含む過去の負荷値の平均値とを比較し且つこの比較結果に基づいて上記設備機器の正常、異常または負荷変動を判断する演算制御部と、この演算制御部の判断結果を上記管理センタへ送信すると共に上記管理センタからの情報を受信する送受信部とを有することを特徴とする設備機器の監視システム。
【請求項４】
予め設定された時間に基づいて稼動する少なくとも一種類の設備機器の負荷を電気的信号として検出する検出装置と、この検出装置からの電気的信号を負荷値として記憶し且つこの負荷値に基づいて上記設備機器を監視する監視装置と、この監視装置との間で通信を行うことによって上記設備機器の負荷状態を管理する管理センタとを備え、上記監視装置は、上記負荷値を記憶する記憶部と、この記憶部の上記負荷値に基づいて上記設備機器の時間外負荷を判断する演算制御部と、この演算制御部の判断結果を上記管理センタへ送信すると共に上記管理センタからの情報を受信する送受信部とを有することを特徴とする設備機器の監視システム。
【請求項５】
予め設定された時間に基づいて稼動する少なくとも一種類の設備機器の負荷を電気的信号として検出する検出装置と、この検出装置からの電気的信号を負荷値として記憶し且つこの負荷値に基づいて上記設備機器を監視する監視装置と、この監視装置との間で通信を行うことによって上記設備機器の負荷状態を管理する管理センタとを備え、上記監視装置は、上記負荷値に対する基準値、現在及び前日を含む過去の負荷値の平均値を記憶する記憶部と、この記憶部の上記現在の負荷値と上記基準値または上記前日を含む過去の負荷値の平均値とを比較し且つこの比較結果に基づいて上記設備機器の正常、異常または負荷変動を判断すると共に上記設備機器の時間外負荷を判断する演算制御部と、この演算制御部の判断結果を上記管理センタへ送信すると共に上記管理センタからの情報を受信する送受信部とを有することを特徴とする設備機器の監視システム。
【発明の詳細な説明】
【０００１】
【発明の属する技術分野】
本発明は、例えば照明設備、家電設備、産業設備等の設備機器を監視する設備機器の監視装置及び設備機器の監視システムに関し、更に詳しくは、設備機器の負荷状態を正確且つ確実に監視することができる設備機器の監視装置及び設備機器の監視システムに関する。
【０００２】
【従来の技術】
従来の設備機器の監視システムの一つとして、例えば本出願人が特許文献１において提案した照明設備の監視装置がある。この照明設備の監視装置は、管理センタと遠隔地の複数箇所に設置された蛍光灯等の照明設備との間で通信を行い、管理センタにおいて照明設備の各蛍光灯に異常があったか否かを監視するように構成されている。
【０００３】
この照明設備の監視装置を利用すれば、遠隔地に設置された複数の蛍光灯のいずれかが不点灯になれば、不点灯になった蛍光灯の本数及びその設置箇所を管理センタにおいて正確に把握することができる。従って、照明設備が設置された現地へ出向き、照明設備に異常かあるか否かを現地で確認する必要がない。
【０００４】
【特許文献１】
特願２００１−２５０６９８号公報（特許請求の範囲及び
【発明の効果】）
【０００５】
【発明が解決しようとする課題】
しかしながら、特許文献１において提案された照明設備の監視装置の場合には、照明設備の点灯時間内であれば、管理センタにおいて不点灯になった蛍光灯等の本数を照明設備の異常として確認することができるが、不点灯に至るまでの蛍光灯の不具合、つまり、蛍光灯の点滅状態やチラツキ（管球内が雲にもやもやした状態）等を検出し、把握することができないという課題があった。蛍光灯等の照明設備が公共の場に設置されている場合には、蛍光灯の点滅状態やチラツキ状態は、照明設備の設置場所によっては不点灯状態の場合よりも目立ち、場合によっては不安感や不快感を与える虞すらある。
【０００６】
また、照明設備の場合には、照明設備に異常があってもそれほど大きな危険を伴うものではないが、照明設備以外のモータ等の駆動設備等やヒータ等の電熱設備機器の場合には、その不具合が見過ごせば、極端な場合には火災等の事故につながる虞があり、安全対策上からも放置することができない。また、従来の監視装置では照明設備等の設備機器が時間外に点灯したり、駆動したりしても時間外作動による異常を監視することができないという課題があった。
【０００７】
本発明は、上記課題を解決するためになされたもので、各種の設備機器の正常、異常等を遠隔地から確実に監視することができ、また、蛍光灯を備えた照明設備の場合には不点灯による異常は勿論のこと、異常に至るまでのチラツキ等の不具合も確実に監視することができる設備機器の監視装置及び設備機器の監視システムを提供することを目的としている。また、遠隔地から設備機器が作動時間を監視して時間外の作動状況も把握することができ、延いては安全対策や省エネルギーに寄与する設備機器の監視システムを提供することを目的としている。
【０００８】
【課題を解決するための手段】
本発明の請求項１に記載の設備機器の監視装置は、設備機器の負荷を検出する複数の検出部と、これらの検出部からの電気的信号を負荷値として記憶する記憶部と、この記憶部の現在の負荷値と基準値または前日を含む過去の負荷値の平均値とを比較し且つこの比較結果に基づいて上記負荷の正常、異常または負荷変動を判断する演算制御部と、この演算制御部の処理内容に従って上記設備機器の状態を表示する表示部とを備えたことを特徴とするものである。
【０００９】
また、本発明の請求項２に記載の設備機器の監視装置は、請求項１に記載の発明において、上記設備機器として蛍光灯を設け、上記蛍光灯の球切れを異常として判断し、上記蛍光灯の点滅またはチラツキを負荷変動として判断することを特徴とするものである。
【００１０】
また、本発明の請求項３に記載の設備機器の監視システムは、少なくとも一種類の設備機器の負荷を電気的信号として検出する検出装置と、この検出装置からの電気的信号を負荷値として記憶し且つこの負荷値に基づいて上記設備機器を監視する監視装置と、この監視装置との間の通信を行うことによって上記設備機器の負荷状態を管理する管理センタとを備え、上記監視装置は、上記負荷値に対する基準値、現在及び前日を含む過去の負荷値の平均値を記憶する記憶部と、この記憶部の上記現在の負荷値と上記基準値または上記前日を含む過去の負荷値とを比較し且つこの比較結果に基づいて上記設備機器の正常、異常または負荷変動を判断する演算制御部と、この演算制御部の判断結果を上記管理センタへ送信すると共に上記管理センタからの情報を受信する送受信部とを有することを特徴とするものである。
【００１１】
また、本発明の請求項４に記載の設備機器の監視システムは、予め設定された時間に基づいて稼動する少なくとも一種類の設備機器の負荷を電気的信号として検出する検出装置と、この検出装置からの電気的信号を負荷値として記憶し且つこの負荷値に基づいて上記設備機器を監視する監視装置と、この監視装置との間で通信を行うことによって上記設備機器の負荷状態を管理する管理センタとを備え、上記監視装置は、上記負荷値を記憶する記憶部と、この記憶部の上記負荷値に基づいて上記設備機器の時間外負荷を判断する演算制御部と、この演算制御部の判断結果を上記管理センタへ送信すると共に上記管理センタからの情報を受信する送受信部とを有することを特徴とするものである。
【００１２】
また、本発明の請求項５に記載の設備機器の監視システムは、予め設定された時間に基づいて稼動する少なくとも一種類の設備機器の負荷を電気的信号として検出する検出装置と、この検出装置からの電気的信号を負荷値として記憶し且つこの負荷値に基づいて上記設備機器を監視する監視装置と、この監視装置との間で通信を行うことによって上記設備機器の負荷状態を管理する管理センタとを備え、上記監視装置は、上記負荷値に対する基準値、現在及び前日を含む過去の負荷値の平均値を記憶する記憶部と、この記憶部の上記現在の負荷値と上記基準値または上記前日を含む過去の負荷値とを比較し且つこの比較結果に基づいて上記設備機器の正常、異常または負荷変動を判断すると共に上記設備機器の時間外負荷を判断する演算制御部と、この演算制御部の判断結果を上記管理センタへ送信すると共に上記管理センタからの情報を受信する送受信部とを有することを特徴とするものである。
【００１３】
【発明の実施の形態】
以下、図１〜図１３に示す実施形態に基づいて本発明を説明する。尚、各図中、図１は本発明の設備機器の監視システムの一実施形態を示すブロック図、図２は図１に示す設備機器の監視システムの監視用端末を示すブロック図、図３は本発明の設備機器の監視装置の一実施形態を示すブロック図、図４は図１に示す設備機器の監視システムの監視用端末の監視処理を示すフローチャート、図５は図１に示す設備機器の監視システムの管理センタの監視処理を示すフローチャート、図６は図１に示す設備機器の監視システムの全体の時間管理を示すフローチャート、図７は監視用端末の作動の有無を監視処理するフローチャート、図８〜図１２はそれぞれ蛍光灯の異常に至るまでの負荷変動を模式的に示す説明図、図１３は図３に示す設備機器の監視装置の一実施形態による照明設備の監視処理を示すフローチャートである。
【００１４】
本実施形態の設備機器の監視システム（以下、単に「監視システム」と称す。）１０は、例えば図１に示すように、複数種類の設備機器に接続され且つ各設備機器の負荷の正常、異常あるいは異常に至るまでの負荷変動を監視する監視装置１１と、この監視装置１１との間で遠隔地から双方向で通信を行うことにより各設備機器それぞれの負荷状態を管理する管理センタ１２と、この管理センタ１２との間で通信を行うことにより予め設定したアドレスに基づいて複数の通信先に各設備機器それぞれの負荷状態の通知を受ける指定通信先１３（図１では、一箇所の指定通信先のみを示してある）とを備え、各設備機器の作動開始時間から作動終了時間までの間には監視装置１１を介して各設備機器の負荷の正常、異常あるいは異常に至るまでの負荷変動を監視し、監視装置１１から管理センタ１２に各設備機器の負荷状態に関する監視結果をオートダイヤルによる通信を行って通知し、更に管理センタ１２から各設備機器に対応する指定通信先１３にそれぞれの監視結果を作動終了時（定刻）に通知する。
【００１５】
従って、本実施形態では、管理センタ１２において遠隔地に配置された複数の設備機器の負荷状態を、監視装置１１を介して把握し、管理することができ、管理センタ１２から対応する指定通信先１３へオートダイヤルで自動的に監視結果を通知することができる。
【００１６】
以下、監視システム１０について詳述する。監視システム１０の監視装置１１は、例えば図１に示すように、親機となる監視用端末１４と、この監視用端末１４にコネクタ１５を介して接続された子機となるデータ収集器１６及び複数のセンサ１７とを備え、データ収集器１６及び複数のセンサ１７それぞれに接続された各種の設備機器（図示せず）を監視する。データ収集器１６及び複数のセンサ１７にはそれぞれアドレス番号が付与され、これらのアドレス番号によってデータ収集器１６及び複数のセンサ１７それぞれに接続された各種の設備機器の負荷状態を監視している。
【００１７】
而して、監視用端末１４は、例えば図１、図２に示すように、管理センタ１２と双方向で無線通信を行う送受信部（例えば、携帯無線装置）１４Ａと、データ収集器１６及び複数のセンサ１７からの電気信号を各設備機器の負荷値としてそれぞれのアドレスに即して受信する受信部１４Ｂと、受信部１４Ｂのアナログ信号をデジタル信号に変換するＡ／Ｄコンバータ１４Ｃと、送受信部１４Ａ及び受信部１４Ｂにおいて受信した各設備機器の負荷値を演算処理すると共に各負荷値をそれぞれの基準値と比較して正常、異常あるいは異常に至るまでの負荷変動の有無を判断する演算制御部１４Ｄと、演算制御部１４Ｄを介して処理された負荷値及び処理時刻データを記憶するメモリ１４Ｅとを備え、データ収集器１６及び複数のセンサ１７からの電気信号に基づいて各設備機器それぞれの負荷値の正常、異常あるいは異常状態に至る負荷変動を判断すると共にこれらのデータ及びデータ処理時間を記憶し、判断結果を管理センタ１２へ送信する。
【００１８】
監視用端末１４の演算制御部１４Ｄは、例えば現在の負荷値及び現在に至るまでの過去数回分の負荷値の移動平均を基準値として算出し、その都度更新する。移動平均値を基準値として使用することにより突発的な負荷の変化による基準値への影響を軽減することができる。また、監視用端末１４では負荷値の正常、異常等の判断は所定時間毎（例えば、２秒毎）に行う。尚、移動平均とは、現在の負荷値及び過去複数回の負荷値の平均値を算出し、検出の度毎に現在の負荷値を加味して直前の移動平均値を更新する手法を云う。
【００１９】
また、管理センタ１２は、図１に示すように、監視用端末１４または指定通信先１３との間で公衆回線網１２Ａを介して送受信を行うＰＢＸ（私設交換台）１２Ｂと、監視装置１１からＰＢＸ１２Ｂを介して受信した監視結果等を管理するパーソナルコンピュータ（ＰＣ）端末１２Ｃと、種々のデータを蓄積するサーバ１２Ｄと、サーバ１２Ｄに蓄積された各種のデータをプリントアウトするプリンタ１２Ｅと、これらの各機器１２Ｂ、１２Ｃ、１２Ｄ、１２Ｅ間を接続する構内ネットワーク（ＬＡＮ）１２Ｆとを備え、公衆回線網１２Ａを介して遠隔地に配置された監視装置１１からの監視結果データを監視情報として受信してサーバ１２Ｄに蓄積し、必要に応じてサーバ１２Ｄの蓄積情報を公衆回線網１２Ａから遠隔地に配置された指定通信先１３の電話機１３Ａ及び／またはファックス受信機１３Ｂへ送信する。また、監視装置１１から定刻に通知があった時点で、その定刻時間を管理センタ１２のサーバ１２Ｄ側から監視装置１１の監視用端末１４へ送信し、監視装置１１の時刻を管理センタ１２の時刻に合わせ、システム全体の時間を統一している。
【００２０】
管理センタ１２のＰＣ端末１２Ｃは、監視用端末１４において各設備機器の負荷値を検出するためのプログラムの他、各設備機器の種類、それぞれの設置台数、それぞれの負荷の基準値等を監視用端末１４側に設定するようにしてあり、監視用端末１４側からは各種の設定ができないようにしてある。その手順としては、予め監視用端末１４側の電話番号を管理センタ１２側のサーバ１２Ｄ内に初期値設定機器リストに入力しておく。そして、監視装置１１と管理センタ１２間で携帯無線装置１４Ａ及び公衆回線網１２Ａを介して通信を行う際に、その監視装置１１に関する電話番号がＰＣ端末１２Ｃ側の上記リスト内の電話番号と一致すると判断した場合には監視装置１１は管理センタ１２からの設定入力の受付対応可能な状態である。また、上記リスト内に電話番号がない場合には、電話番号の判断に続いて送られる機器の製品番号または特定のアドレスと照合し、その機器の正規な番号との一致をみた場合には管理センタ１２側から監視用端末１４に対して各種の設定を行えるようになる。同様に日々行われる監視用端末１４と管理センタ１２との通信にも同様の認証作業を行い、現地に設置された各種の設備機器に関するデータを監視装置１１から管理センタ１２に通知した後、管理センタ１２から監視装置１１へサーバ１２Ｄの時刻データを送信し、この時刻を監視用端末１４のメモリ１４Ｅに上書きし、監視装置１１の時刻を管理センタ１２の時刻に揃えて時間を統一する。従って、監視用端末１４には管理センタ１２側の時刻以外の時刻が入力されず、また、管理センタ１２以外から監視装置１１に対して各設備機器に関するデータの改竄や悪戯を行なうことができず、監視結果が信頼性の高いものになる。
【００２１】
ところで、データ収集器１６は、親機である監視用端末１４に子機として接続されて使用される場合と、それ自体が監視装置として監視用端末１４から独立して使用される場合とがあり、前者と後者の場合とは異なった働きをする。従って、以下では、監視用端末１４の子機として使用される場合にはデータ収集器１６として説明し、監視用端末１４から独立して使用される場合には監視装置２０として説明する。
【００２２】
データ収集器１６は、例えば図２に示すように８種類の設備機器の回路分（例えば、８回路分）を接続する回路端子１６Ａと、回路端子１６Ａからの電気信号を増幅すると共にノイズを除去するＡＭＰフィルタ１６Ｂと、ＡＭＰフィルタ１６Ｂからのアナログ信号をデジタル信号に変換する１２ビットＡ／Ｄコンバータ１６Ｃと、１２ビットＡ／Ｄコンバータ１６Ｃからの電気信号に基づいて負荷値を求めるコントローラ１６Ｄとを備え、単に８回路分の負荷状態を負荷データとして収集し、収集した負荷データをインターフェース１６Ｅ、コネクタ１６Ｆ及び監視用端末１４側のコネクタ１５を介して監視用端末１４に送信する役割を果たす。そして、各設備機器の負荷状態の判断は監視用端末１４において行う。インターフェース１６Ｅの通信形式としては、例えば、ＲＳ４２２、ＲＳ２３２Ｃ、ＴＣＰ／ＩＰ等の種々の通信形式を採用することができ、特定の通信形式制限されるものではない。
【００２３】
また、監視装置２０は、例えば図３に示すように、設備機器に接続されたクランプ回路２１と、クランプ回路２１からの電気信号を増幅すると共にノイズを除去するＡＭＰフィルタ２２と、ＡＭＰフィルタ２２からのアナログ信号をデジタル信号に変換する１２ビットＡ／Ｄコンバータ２３と、蛍光灯等の設備機器の設置数、設置時の負荷値等を初期値として設定するディップスイッチ２４と、１２ビットＡ／Ｄコンバータ２３からの電気信号に基づいて負荷値を求めると共に初期値と負荷値に基づいて設備機器の負荷状態を判断する演算制御部１４Ｄと、演算制御部１４Ｄの判断結果を表示する表示部２６とを備え、クランプ回路２１が設備機器の負荷状態を電気信号として検出し、ＡＭＰフィルタ２２が検出信号を増幅すると共にノイズを除去した後、１２ビットＡ／Ｄコンバータ２３が検出信号を負荷値として演算し、演算制御部１４Ｄにおいて負荷値に基づいて負荷状態の正常、異常あるいは異常に至るまでの負荷変動の有無を判断する。また、表示部２６は、パイロットランプ２６Ａと、三色のＬＥＤ２６Ｂ、２６Ｃ、２６Ｄを有している。パイロットランプ２６Ａは、照明設備に異常があった時に点灯する。ＬＥＤ２６Ｂは照明設備の全ての蛍光灯が停止した時に点灯して「全停止」の状態を示し、ＬＥＤ２６Ｃは蛍光灯が一灯でも不点灯であれば点灯して「不点灯あり」の状態を示し、ＬＥＤ２６Ｄは全ての蛍光灯が正常に点灯している時に点灯して「異常なし」の状態を示す。また、チラツキのある蛍光灯が一灯でもあればＬＥＤ２６Ｃ、２６Ｄが同時に点灯してチラツキ状態を示す。尚、ディップスイッチ２４は一回路を監視する時にのみ使用し、複数回路を監視する時には使用しない。
【００２４】
また、複数のセンサ１７は、それぞれ設備機器に接続され、これら設備機器の負荷状態を電流、電圧等の電気信号としてそれぞれ検出し、この電気信号に基づいて監視用端末１４において複数の設備機器が所定の時間内で駆動しているか否かを判断し、所定の時間外に駆動している場合には、異常と判断し、管理センタ１２にその旨を通知する。例えば、ある一つのコンセントに設備機器が接続され、この設備機器が所定の時間内に作動している場合には正常と判断し、所定の時間外に作動している場合には、その電気信号を計測し異常と判断する。この際に使用されるセンサ１７としては、例えば流量や温度等の種々の物理量を検出するセンサが使用され、特定のセンサに制限されるものではない。センサとしては、例えば光量計、電流計、電圧計、赤外線センサの他、タイマ運行管理のＲＳ−２３２Ｃポートを有するシーケンサやプログラムタイマ等を挙げることができる。
【００２５】
次に、本実施形態の設備機器の監視システム１０の動作について図４〜図５を参照しながら説明する。まず、管理センタ１２側からＰＣ端末１２Ｅを用いて監視対象となる複数の設備機器の負荷値の基準値や現在時刻を入力し、管理センタ１２と監視装置１１との間で通信を行って各設備機器の基準値を監視用端末１４のメモリ１４Ｅに登録し、各設備機器の監視の準備を行う。次いで、監視装置１１において複数の設備機器の負荷状態を例えば２秒毎に計測して監視し、正常、異常等の監視結果を一日に一回当て管理センタ１２へ定刻送信する。また、監視中にいずれかの設備機器に異常があった時には監視装置１１から管理センタ１２へ最初の異常時にのみ一回だけ送信し、その後の異常は纏めて上述のように定刻に管理センタ１２へ送信する。
【００２６】
而して、例えば図４に示すように監視システム１０が始動すると（ステップＳ０）、監視装置１１ではデータ収集器１６及び複数のセンサ１７によってそれぞれに接続された複数の設備機器の負荷状態を電気信号（例えば、電流、電圧等の電気量）として検出し（ステップＳ１）、監視用端末１４のデータ受信部１４Ｂで各設備機器の負荷値を受信すると、Ａ／Ｄコンバータ１４Ｃを介してアナログ信号をデジタル信号に変換し、メモリ１４Ｅ内の各設備機器に割り振られたアドレスにそれぞれの電気信号を負荷データとして蓄積する（ステップＳ２）。次いで、これらの負荷値が当日の最初の負荷データであるか否かを演算制御部１４Ｄにおいて判断し（ステップＳ３）、最初の負荷データであればメモリ１４Ｅの各アドレスに作動開始時間及び負荷データを記録する（ステップＳ４）。
【００２７】
引き続き、次の電気信号をデータ受信部１４Ｂで受信すると、同様にメモリ１４Ｅに負荷データとして蓄積すると共に演算制御部１４Ｄにおいて当日の最初の負荷データであるか否かを判断する。この場合にはステップＳ３において最初の負荷データでないと判断した後（ステップＳ３）、この負荷データが当日最後（作動時間終了時）の負荷データであるか否かを判断する（ステップＳ５）。ステップＳ５において最後の負荷データではないと判断すると、演算制御部１４Ｄにおいてこれらの負荷データに基づいて負荷値を演算した後（ステップＳ６）、これらの演算値と予め各設備機器に設定された基準値（初期値または前日の移動平均値）と比較し、これらの負荷値がそれぞれ基準値の許容範囲内、つまり正常範囲内であるか否かを判断する（ステップＳ７）。このように移動平均値を求めることにより当日最初の負荷値が突発的に大きく変化したデータであっても平均化することができ、異常として判断する弊害を防止することができる。ステップＳ７において負荷値が正常範囲内であると判断すると、ステップＳ３に戻り、後続の負荷値についてステップＳ３からステップＳ７の処理を繰り返す。
【００２８】
演算制御部１４Ｄにおいて後続の負荷値についてステップＳ３〜ステップＳ７の処理を繰り返し、一日の作業終了時間に達して最後の負荷値を検出すると、ステップＳ５において当日最後の負荷値であると判断し、当日の作業終了時間をメモリ１４Ｅに記録した後（ステップＳ８）、当日最後の負荷値をメモリ１４Ｅに記録する（ステップＳ９）。そして、演算制御部１４Ｄにおいてこれら最後の負荷値を時刻と一緒に定刻送信データとして確定し（ステップＳ１０）、これらの定刻送信データをメモリ１４Ｅに保存した後（ステップＳ１１）、一日に一回だけ終了指定時刻（定刻）に定刻送信データを開始時刻及びその時の負荷データと一緒に管理センタ１２へ送信する（ステップＳ１２）。定刻送信時には監視用端末１４の携帯無線装置１４Ａが作動してオートダイヤルにより管理センタ１２に繋ぎ、定刻送信データと開始時刻及びその時の負荷データをパケットデータとして纏めて管理センタ１２へ送信する（ステップ１３）。管理センタ１２では、監視装置１１からの定刻送信データを公衆回線網１２Ａ及びＰＢＸ１２Ｂを介して受信し、ＬＡＮ１２Ｆを介してサーバ１２Ｄ内に蓄積する。
【００２９】
ところが、ステップＳ１においてデータ収集器１６及び複数のセンサ１７によって複数の設備機器の負荷を電気信号としてそれぞれ計測し、ステップＳ２〜ステップＳ６を経由して演算制御部１４ＤがステップＳ７において複数の設備機器いずれかの負荷値が正常範囲内には無い、異常と判断すると、異常のあったアドレスから設備機器を特定した後、演算制御部１４Ｄを介して携帯無線装置１４Ａが作動し、ステップＳ１３においてオートダイヤルで監視装置１１と管理センタ１２とを繋ぎ、異常が発生した設備機器、発生時刻をパケットデータとして纏めて管理センタ１２へ送信して異常のあった旨を通知する。異常通知は初回の異常を検出した時に行い、２回目以降の異常通知は纏めて作動時間終了時の定刻通知時に行う。
【００３０】
一方、管理センタ１２では図５に示すように公衆回線網１２Ａ及びＰＢＸ１２Ｂを介して受信できる状態にあるか否かを判断し（ステップ１４）、受信できる状態であれば最初の異常情報をＰＣ端末１２Ｃ内に取り込み、ＰＣ端末１２Ｃのディスプレイ上に異常情報を表示する（ステップＳ１５）。更に、この異常情報をサーバ１２Ｄ内の所定の領域に設備機器を特定するアドレス番号と共に保存する（ステップＳ１６）。また、作動終了時の定刻送信時までに他の設備機器に異常が発生すれば定刻送信により受信したパケットデータを同様にサーバ１２Ｄ内に蓄積する。そして、作動時間終了後、ＰＣ端末１２Ｃを用いてサーバ１２Ｄ内の蓄積情報の中から異常情報を抽出する（ステップＳ１７）。管理センタ１２では異常情報をプリンタ１２Ｅによって印刷し、異常のあった設備機器を確信することができ、その設備機器の修復を行って正常に戻すことができる。引き続き、ＰＣ端末１２Ｃを用いて指定送信先１３に送信するための書類を作成した後（ステップＳ１８）、ＰＢＸ１２Ｂ及び公衆回線網１２Ａを介して指定送信先１３へファックス送信し、あるいは電話連絡し（ステップＳ１９）、指定送信先１３側で異常内容を表示する（ステップＳ２０）。これにより指定送信先１３側ではファックスの表示内容に基づいて異常のあった設備機器を確認することができる。監視システム１０による一日の監視が終了すると、翌日の定刻に監視システム１０が作動し、上述した監視を繰り返し行う。翌日以降には同様にして各設備機器を前日の負荷データの移動平均値を基準値として用いて監視する。
【００３１】
ところで、管理センタ１２においてデータを受信する際に、管理センタ１２においてデータ受信を行えないと判断した時には、監視装置１１側の携帯無線装置１４Ａが再送信手順を実行し、例えば３回を限度として再送を繰り返す（ステップＳ２１）。この間に監視装置１１側と管理センタ１２側とが接続されたか否かを判断し（ステップＳ２２）、接続されると管理センタ１２側のＰＣ端末１２Ｃにおいて監視装置１１側からの端末情報を把握できるか否かを判断し（ステップＳ２３）、端末情報を把握できれば、ステップＳ１５へ移行し、ステップＳ１５からステップＳ２０に至り、指定送信先１３において異常情報を表示する。ステップＳ２３において端末情報を把握することができない場合には公衆回線網１２Ａを介して管理センタ１２側のＰＣ端末１２Ｃから管理装置１１側へリモートダイヤルにて送信復旧を促し（ステップＳ２４）、この送信復旧操作を例えば３回を限度に繰り返す間に送信が復旧したか否かをＰＣ端末１２Ｃにおいて判断し（ステップＳ２５）、この間に送信が復旧すればステップＳ１５に移行し、ステップＳ１５からステップＳ２０に至り、指定送信先１３において異常情報を表示する。また、送信が復旧しなければ、通信手段に異常があったものと判断し、通信手段の復旧を行うべく対応する（ステップＳ２６）。また、ステップＳ２２において通信接続ができなければ、ステップＳ２２からステップＳ２６へ移行し、通信手段の復旧に対応する。
【００３２】
以上説明したように本実施形態によれば、複数の設備機器の負荷状態を電気的信号として検出する複数のデータ収集器１６及びセンサ１７と、これらからの電気的信号を負荷値として記憶し且つこの負荷値に基づいて複数の設備機器を監視する監視装置１１と、この監視装置１１との間で双方向の通信を行うことによって複数の設備機器の負荷状態を管理する管理センタ１２とを備え、監視装置１１は、負荷値に対する基準値、現在及び前日を含む過去の負荷値の移動平均値を記憶するメモリ１４Ｅと、このメモリ１４Ｅの現在の負荷値と基準値または移動平均値とを比較し且つこの比較結果に基づいて複数の設備機器の正常、異常または負荷変動を判断する演算制御部１４Ｄと、この演算制御部１４Ｄの判断結果を管理センタ１２へ送信すると共に管理センタ１２からの情報を受信する携帯無線装置１４Ａとを有するＰＣ端末１４を備えているため、各設備機器が配置された場所に管理者を派遣するまでもなく、管理センタ１２において有線電話設備の無い遠隔地に配置された複数の設備機器の負荷の正常、異常及び異常に至る負荷変動、つまり稼動状態を監視することができる。
【００３３】
また、本実施形態の監視システム１０は図６に示すように作動時間監視プログラムにより各設備機器の作動時間を監視し、各設備機器を作動終了時間に停止させることができ、省エネルギー及び安全対策に寄与することができる。各設備機器の作動時間は以下のようにして監視する。
【００３４】
即ち、図６に示すように監視システム１０が始動すると（ステップＳ３０）、監視装置１１では監視用端末１４の演算制御部１４Ｄにおいて管理センタ１２に送信すべきデータがあるか否かを判断する（ステップＳ３１）。各設備機器が作動開始時間に達していなければ、送信すべきデータが無いと判断し、各設備機器が作動開始時間に達するまでステップＳ３１の判断を繰り返す。作動開始時間になると各設備機器が始動し、監視用端末１４ではデータ収集器１６及び複数のセンサ１７からデータ受信部１４Ｂを介して複数の設備機器の負荷状態を電気信号として受信し、これらの電気信号をＡ／Ｄコンバータ１４Ｃを介してアナログ信号をデジタル信号に変換した後、演算制御部１４Ｄに複数の負荷値を送信する。演算制御部１４Ｄでは負荷値を受信すると、作動開始時間をメモリ１４Ｅに記録する（ステップＳ３２）。
【００３５】
次いで、演算制御部１４Ｄにおいて負荷値の有無を判断し（ステップＳ３３）、負荷値がある場合には負荷値が有りと判断すると共にこれらの負荷値とこれらと対応する基準値とを比較し、これらの負荷値が正常範囲内にあるか否かを判断する（ステップＳ３４）。これらの負荷値が正常範囲内の場合には、これらの負荷値が各設備機器の作動時間内のものであるか否かを判断し（ステップＳ３５）、作動時間内の負荷値であればステップＳ３３に戻り、後続の負荷値についてステップＳ３３からステップＳ３５までの判断を各設備機器の作動時間中繰り返し行う。各設備機器の作動時間が終了すると、データ収集器１６及び複数のセンサ１７によるデータ計測が終了し、前述したように監視装置１１の携帯無線装置１４Ａと管理センタ１２との定刻通信を行い、携帯無線装置１４ＡからＰＣ端末１２Ｃに作動終了時間及びこの時の負荷値を作動開始時間及びこの時の負荷値と一緒に送信し、サーバ１２Ｄ内に蓄積する。また、管理センタ１２から監視装置１１へ作動終了時の時刻データを送信し、監視装置１１と管理センタ１２の時刻を統一する。
【００３６】
而して、各設備機器の作動終了時間に達しても一部の設備機器が作動し続けると、監視用端末１４の演算制御部１４ＤではステップＳ３５において作動時間異常と判断した後、この作動時間が緊急停止レベルに達しているか否かを判断する（ステップＳ３６）。緊急停止レベルに達していないと判断すると、作動異常時間を次のステップへ移し（ステップＳ３７）、後続の負荷値についてステップＳ３３からステップＳ３６までの判断を繰り返し、作動時間が緊急停止レベルに達した時点で演算制御部１４Ｄでは緊急停止すべき旨をメモリ１４Ｅに記録した後（ステップＳ３８）、作動時間異常として通信処理を行い（ステップＳ３９）、監視装置１１から管理センタ１２へ作動時間異常を通知する（ステップＳ４０）。
【００３７】
管理センタ１２では監視装置１１から作動時間異常の通知を受け、ＰＣ端末１２Ｃにおいて緊急停止レベルに達した旨を確認する（ステップＳ４１）。異常が認められた各設備機器が緊急停止対象であると判断すると、緊急停止信号を管理センタ１２から監視装置１１へ送信すると共に（ステップＳ４２）、緊急停止対象となっている設備機器をそのアドレスに基づいて管理センタ１２から指定通信先１３へ通知する（ステップＳ４３）。監視装置１１では携帯無線装置１４Ａを介して緊急停止信号を受信すると、監視用端末１４から緊急停止すべき設備機器にそのアドレスに基づいて緊急停止信号を発信し（ステップＳ４４）、緊急停止すべき設備機器を緊急停止させる。また、ステップＳ４１において緊急停止確認をした時点で作動時間異常が認められた設備機器が緊急停止対象でない場合には、ステップＳ４３において管理センタ１２から指定送信先１３へ作動時間異常のあった設備機器を通知し、緊急停止の処理を行わない。ここで緊急停止レベルとは、設備機器の作動終了時間を過ぎ、強制的に停止させなくてはならない時間レベルのことを云う。
【００３８】
また、センサ１７等よって負荷状態を検出しない場合にはステップＳ３３において負荷値なしと判断し、メモリ１４Ｅ内に負荷値異常と記録した後（ステップＳ４５）、ステップＳ３９以降の処理を行って各設備機器を緊急停止するか、あるいは緊急停止と共に管理センタ１２から指定送信先１３へその旨通知する。また、ステップＳ３４において設備機器の故障等により負荷値が正常範囲内になく異常と判断した場合にはメモリ１４Ｅ内に負荷値異常と記録した後（ステップＳ４６）、ステップＳ３９以降の処理を行って各設備機器を緊急停止するか、あるいは緊急停止と共に管理センタ１２から指定送信先１３へその旨通知する。これら一連の処理において、個々の設備機器の作動開始時間及び作動終了時間が異なっていても各設備機器をそれぞれのアドレスによって個別に作動時間を監視することができる。
【００３９】
以上説明したように本実施形態によれば、各設備機器の作動時間を監視するようにしたため、いずれかの設備機器の作動終了時間が定刻を過ぎた場合にはその設備機器を自動的に停止させることができ、各設備機器が無駄に稼働することなく省エネルギー及び安全対策にも寄与することができる。また、設備機器が故障した場合にも負荷値異常を見つけ、その設備機器を停止させることができる。
【００４０】
また、図７に示すように監視システム１０は遠隔地に配置された複数の監視装置１１の作動状況を出欠プログラムにより監視することもできる。ここで、複数の監視装置１１は所定時間内に全て始動するものとする。管理センタ１２のＰＣ端末１２Ｃには例えば出欠プログラムが格納され、この出欠プログラムに基づいて複数の監視装置１１の作動状況を監視する。
【００４１】
即ち、監視システム１０が始動すると（ステップＳ５０）、ＰＣ端末１２Ｃにおいて始動時点から経過時間の計測を開始する（ステップＳ５１）。一方、遠隔地に配置された複数の監視装置１１が始動すると（ステップＳ５２）、各監視装置１１と管理センタ１２との通信により各監視装置１１からそれぞれのアドレス信号を管理センタ１２へ送信し、各監視装置１１が始動した旨を通知する（ステップＳ５３）。管理センタ１２ではＰＣ端末１２Ｃにおいて各監視装置１１からのアドレス信号を受信し、それぞれのアドレスをサーバ１２Ｄへ記録する（ステップＳ５４）。そして、時間計測を開始してから所定の経過時間に達したか否かをＰＣ端末１２Ｃにおいて判断し（ステップＳ５５）、所定の経過時間に到達していないと判断すると、所定時間に達するまで後続の監視装置１１からのアドレス信号を受信し、アドレスをその都度サーバ１２Ｄ内に記録する。ステップＳ５５においてＰＣ端末１２Ｃにおいて所定時間が経過したと判断すると、全ての監視装置１１のアドレスと着信アドレスとに基づいて未着のアドレスを抽出し（ステップＳ５６）、ステップＳ５６において未着アドレスが無いと判断すると、各監視装置１１が定刻に正常に始動したと判断し出欠プログラムを終了する（ステップＳ５７）。そして、各監視装置１１において前述の監視を行う。ステップＳ５６において未着アドレスがあると判断すると、管理センタ１２から未着アドレスに対応する監視装置１１を呼び出し（ステップＳ５８）、送信を促す。返信がなければその監視装置１１に異常があったものと看做し、その監視装置１１との通信異常の原因を確認し、復旧させる。従って、管理センタ１２において各監視装置１１が正常に作動しているか否かを確認し、通信異常があれば即座にその監視装置１１について復旧等の対応策を取ることができる。
【００４２】
次に、監視システム１０を用いて複数の蛍光灯を備えた照明設備を監視する場合について図８〜図１３を参照しながら更に具体的に説明する。この場合、複数の蛍光灯を備えた照明設備は例えばデータ収集器１６に接続され、データ収集器１６を介して各蛍光灯の負荷を検出する。
【００４３】
照明設備の負荷（例えば、電流値、電圧値、電力値）は、常に一定値を示すわけではなく、一日という長いスパンで観れば、例えば図８に模式的に示すように１０％内の範囲で変化しながら推移する。また、これらの負荷は突発的に通常の変動範囲を超えて変化することもある。しかし、負荷の変動を短いスパンで観れば、例えば図９に示すように負荷の変動は小さく安定しているため、時々刻々の移動平均値を採って負荷変動を監視することができる。
【００４４】
例えば図１０に模式的に示すように負荷が安定している区間では、前回移動平均Ａから比較移動平均Ｂへと移動平均値を順次更新し、負荷値が規定値（例えば、正常時の一灯当たりの±１０％）以上に変化した異常時には変化前後の移動平均Ｂと移動平均Ｃとを比較して負荷値のチラツキ等の異常を判断することができる。
【００４５】
ところで、照明設備の各蛍光灯は、短いスパンでは図９に示すように多少の変動があるものの、通常は安定した負荷値を示し、実験結果を観ても常に５％内の変動幅に落ち着く。しかし、蛍光灯は、図１１、図１２に模式的に示すように、正常な点灯状態からチラツキ、点滅を経由して球切れによる異常状態に至るのが通常である。そこで、本実施形態では監視用端末１４において一灯の負荷値の５％以内で変動する場合には正常と判断し、一灯分の低下がある場合を球切れと判断する。更に、一灯の負荷値の１０％以上の上下動のある場合には点滅と判断し、また、一灯の負荷値の５％〜２０％の低下があってその近傍の値が安定的に続く場合にはチラツキと判断する。これらの変動率の目安は蛍光灯の負荷変動を詳しく調べた結果得られたものである。
【００４６】
例えば照明設備の各蛍光灯を監視する際に、図１１に示すように全蛍光灯の負荷値（例えば、電流値）の移動平均値が負荷値の±５％以内で変化している状態を正常と判断し、経時的に負荷値が正常の範囲を超えて全蛍光灯の±５％の正常範囲を超え、その後、負荷値が略安定した状態で暫く続く状態をチラツキ状態であると判断する。更に、全灯の負荷値の±１０％以上の急激な上下変動を繰り返す不安定な状態を点滅状態であると判断する。また、図１２に模式的に示すように点滅後、負荷値がチラツキ状態から更に下がって安定すれば、正常時の移動平均Ｂの一灯当たりの負荷値を求め、点滅後の移動平均Ｄを一灯当たりの負荷値で除して点滅後の蛍光灯の灯数を算出することによって球切れ数を知ることができる。球切れ後に、残余の蛍光灯の負荷状態が大きく変動することなく安定すれば、残余の蛍光灯が球切れ状態であると判断する。
【００４７】
そこで、本実施形態では以下において図１３〜図１６を参照しながら説明するように監視装置１１を使用することにより複数の照明設備の各蛍光灯が正常に点灯しているか否か、つまり照明設備の正常、異常を確実に監視することができる。更に、本実施形態では単に照明設備の異常を監視するだけでなく、異常を負荷変動に基づいてチラツキ、点滅、球切れを段階的に把握し、これらの各段階を確実に監視することができる。そして、負荷状態の最終判断には負荷値ではなく後述の負荷値の移動平均値を用いる。
【００４８】
即ち、本実施形態では、図１３に示すように監視装置１１が始動すると（ステップＳ１００）、照明設備の各蛍光灯が点灯し、点灯状態が安定するのを待つ（ステップＳ１０１）。点灯状態が安定した後、監視用端末１４の演算制御部１４Ｄにおいて今回の起動が設置後の初回の起動であるか否かを判断する（ステップＳ１０１）。ステップＳ１０２において初回の起動であると演算制御部１４Ｄが判断すると、演算制御部１４Ｄにおいて初期化処理を実行する（ステップＳ１０３）。初期化処理では負荷値の基準値及び初期の蛍光灯の灯数をそれぞれ取り込み、また、演算制御部１４ＤにおいてカウンタＡ、Ｂ、Ｃ、Ｎをクリアすると共に一灯分の負荷値を計算する。また、ステップＳ１０２において初回起動でないと演算制御部１４Ｄが判断すると、前回値読込処理を実行する（ステップＳ１０４）。前回値読込処理では基準値に代えて前回の移動平均値を読み込む以外は初期化処理と実質的に同一の処理を行う。ここで、カウンタＡは、点滅用または増灯用のカウンタで、蛍光灯の点滅状態または蛍光灯の増灯状態を照明設備の負荷値に基づいて計測した時にカウント数をインクリメントする。カウンタＢは、球切れ用のカウンタで、蛍光灯の球切れ状態を照明設備の負荷値に基づいて計測した時にカウント数をインクリメントする。カウンタＣは、チラツキ用のカウンタで、蛍光灯のチラツキ状態を照明設備の負荷値に基づいて計測した時にカウント数をインクリメントする。カウンタＮは、正常用のカウンタで、蛍光灯の正常状態を照明設備の負荷値に基づいて計測した時にカウント数をインクリメントする。
【００４９】
上述のようにステップＳ１０３の初期化処理またはステップＳ１０４の前回値読込処理に続いて、演算処理部１４Ｄにおいてデータ受信部１４Ｂを介して照明設備の照明回路からの電気信号を受信し、例えば負荷データを２秒毎に受け取ると（ステップＳ１０５）、負荷データを受け取る度毎に演算制御部１４Ｄにおいて負荷値が移動平均（Ｍａｖ）Ｎの規定範囲（移動平均Ｎを中心とした±１０％の範囲）内の値であるか否かを判断する（ステップＳ１０６）。ここで移動平均値Ｎとは正常時における現在及び直近４個、即ち５個の負荷値の平均値を云い、負荷値が規定範囲内で変動すればその負荷値は正常値であることを示す。従って、ステップＳ１０６において負荷値が移動平均値Ｎの規定範囲内であると判断すると、演算制御部１４Ｄにおいて現在の負荷値（現在値）と直近４回分の負荷値に基づいて移動平均値Ｎを計算して直前の移動平均値を更新し（ステップＳ１０７）、照明設備の各蛍光灯が正常であると判断した後（ステップＳ１０８）、全てのカウンタをクリアする（ステップＳ１０９）。次いで、ステップＳ１０５に戻りステップＳ１０９までの処理を繰り返す。尚、初回起動時に移動平均値Ｎに代えて予め設定した基準値を使用し、移動平均値Ｎを計算する時には基準値と現在の負荷値との平均値を計算する。
【００５０】
正常時に負荷データを受け取るステップＳ１０５から全てのカウンタをクリアするステップＳ１０９までの処理を繰り返す間に、ステップＳ１０６において負荷値が移動平均値Ｎの規定範囲内になく、規定範囲を超えて変動していると演算制御部１４Ｄが判断すると、引き続き演算制御部１４Ｄにおいてその負荷値が規定範囲より上、即ち規定範囲を＋側へ１０％以上超えた値であるか否かを判断する（ステップＳ１１０）。ステップＳ１１０において負荷値が規定範囲を＋側に１０％以上超えた値であると判断すると、全てのカウンタをクリアした後（ステップＳ１１１）、図１４に示す点滅処理ブロックＡへ移行し、このブロック内の処理において点滅等の異常を判断する。つまり、照明設備の負荷値は、図１１、図１２からも明らかなように、いずれかの蛍光灯に点滅があると時にのみ移動平均値Ｎの規定範囲を超えて変動するため、ステップＳ１１０において点滅状態にあると判断する。この負荷値が突発的に大きく変動した結果であれば、後述するように点滅処理ブロックＡにおいて正常時の処理に戻す手当てがしてある。
【００５１】
また、演算制御部１４ＤがステップＳ１１０において負荷値が移動平均値Ｎの規定範囲より上でないと判断すると、これが初回の判断か否かを判断し（ステップＳ１１２）、初回の判断であればステップＳ１０５に戻る。この処理によって移動平均値Ｎの規定範囲を超えた負荷状態が一時的なものであるか否かをステップＳ１０５からステップＳ１１２までの処理において判断する。ステップＳ１１２において判断する負荷値が初回ではないと判断すると、この負荷値が一灯分の負荷値以上下がった時の値であるか否かを演算制御部１４Ｄにおいて判断する（ステップＳ１１３）。この負荷値が一灯分以内の負荷変動であると判断すると、チラツキ用のカウンタＣが働き（ステップＳ１１４）、カウンタＣのカウンタ数が「１」であるか否かを判断し（ステップＳ１１５）。カウンタＣのカウンタ数が「１」であると判断すると、この負荷値を異常負荷値Ａとしてメモリ１４Ｅ内に保存した後（ステップＳ１１６）、この負荷値が異常負荷値Ａの規定範囲内であるか否かを判断し（ステップＳ１１７）、この負荷値が異常負荷値Ａの規定範囲内であると判断すると異常負荷値の移動平均Ｃを計算する（ステップＳ１１８）。また、ステップＳ１１３において負荷値が一灯分以上下がった時の値であると判断すると、球切れ用のカウンタＢが働き（ステップＳ１１９）、この異常負荷値の移動平均Ｂを計算する（ステップＳ１２０）。
【００５２】
移動平均値Ｃとは、チラツキ異常判定時における現在及び直近４個、即ち５個（規定回数）の負荷値の平均値を云う。また、異常負荷値Ａの規定範囲とは、異常負荷値Ａを中心とした±１０％の範囲を云い、負荷値が異常負荷値Ａの規定範囲内で変動すればチラツキを示す値であることを示す。また、移動平均値Ｂとは、灯数が減少する方向へ変動した時における規定回数（５個）の負荷値の平均値を云い、移動平均値Ｂに基づいて球切れを判断することができる。
【００５３】
ところで、演算制御部１４ＤではステップＳ１１８において移動平均値Ｃを計算した後、ステップＳ１０５へ戻り、ステップＳ１１５においてカウンタＣのカウント数が「１」でないと判断すると、ステップＳ１１５からステップＳ１１７へジャンプし、ステップＳ１１８において移動平均値Ｃを計算して更新した後カウンタＣが異常負荷値Ａの規定範囲内の負荷値を規定回数分（例えば、５回分）受け取ったか否かを判断し（ステップＳ１２１）、規定回数分受け取ったと判断するとカウンタＣのカウント数が規定回数と等しいか否かを判断する（ステップＳ１２２）。そして、このカウント数が規定回数に等しいと演算制御部１４Ｄにおいて判断すると、「チラツキ」と判定し（ステップＳ１２３）、全てのカウンタをクリアした後（ステップＳ１２４）、図１６に示すチラツキ処理ブロックＣへ移行し、このブロック内の処理において移動平均値Ｃを用いてチラツキ等の異常を判断する。
【００５４】
また、ステップＳ１２０において移動平均値Ｂを計算した後、ステップＳ１２１においてカウンタＢが一灯分以上下がった負荷値を規定回数分受け取ったか否かを判断し、規定回数分受け取ったと判断するとステップＳ１２２を経てステップＳ１２５に移行し、ここでカウンタＢのカウント数が規定回数と等しいか否かを判断する。そして、カウンタＢのカウント数が規定回数に等しいと判断すると、「球切れ」と判断した後、図１５に示す球切れ処理ブロックＢへ移行し、このブロック内の処理において球切れ等の異常を判断する。また、カウンタＢのカウント数が規定回数に等しくないと判断すると、ステップＳ１１３での判断が一時的な負荷変動によるものとして、全てのカウンタをクリアした後（ステップＳ１２６）、ステップＳ１０５へ戻り、負荷値が正常であるか否かの処理を始めから行う。
【００５５】
上述のように本実施形態では規定回数として、例えば移動平均を算出するために必要な回数として５回を設定している。規定回数だけ連続して計測すれば、照明設備の少なくとも蛍光灯の一灯に異常があると図１１、図１２に模式的に示すように蛍光灯の異常を段階的に確実に把握することができる。また、照明設備が正常であれば、突発的な負荷値の変化は規定回数だけ計測する間に正常値に戻り、移動平均値Ｎを計算することによって後述のように正常であるであるとの判断を確実に行なうことができる。
【００５６】
而して、前述した負荷値が正常時の移動平均値Ｎの規定範囲を超えて負荷変動した場合にはステップＳ１１１において全カウンタをクリアした後、図１４に示す点滅処理ブロックＡへ移行し、このブロック内で演算制御部１４Ｄにおいて照明設備の点滅異常等の有無を判断する。即ち、演算制御部１４Ｄにおいてデータ受信部１４Ｂを介して次の負荷データを受け取った後（ステップＳ２０１）、この負荷値が移動平均値Ｎの規定範囲より上であるか否かを再び判断し（ステップＳ２０２）、移動平均値Ｎの規定範囲より上でないと判断すると、引き続き負荷値が移動平均Ｎの規定範囲内であるか否かを判断する（ステップＳ２０３）。ここで移動平均Ｎの規定範囲内ではないと判断した後、この負荷値が一灯分以上下がったか否かを判断し（ステップＳ２０４）、一灯分以上下がったと判断すると、球切れ用のカウンタＢが働き、カウント数を「１」だけインクリメントした後（ステップＳ２０５）、負荷値の移動平均値Ｂを計算する（ステップＳ２０６）。次いで、カウンタＢが一灯分以上下がった負荷値の移動平均値Ｂを規定回数分受け取ったか否かを判断し（ステップＳ２０７）、規定回数分を受け取っていないと判断するとステップＳ２０１へ戻りステップＳ２０７までの処理を繰り返し行い、ステップＳ２０７において移動平均値Ｂを規定回数分受け取ったと判断するとカウンタＮのカウント数が規定回数と等しいか否かを判断する（ステップＳ２０８）。ここでカウンタＮは機能していないため、カウンタＮのカウント数が規定回数に等しくないと判断した後、カウンタＢのカウント数が規定回数と等しいか否かを判断する（ステップＳ２０９）。カウンタＢのカウント数が規定回数に等しいと判断すると、球切れ処理ブロックＢへ移行し、このブロック内の処理において球切れ等の異常を判断する。ステップＳ２０９においてカウンタＢのカウント数が規定回数に等しくないと判断すると、引き続きカウンタＡのカウント数が規定回数に等しいか否かを判断する（ステップＳ２１０）。ここでカウンタＡは機能していないため、カウンタＡのカウント数が規定回数に等しくないと判断し、負荷変動が不安定な状態である「点滅」と判断した後（ステップＳ２１１）、全てのカウンタをクリアし（ステップＳ２１２）、ステップＳ２０１へ戻る。ステップＳ２１１において点滅と判断すると、携帯無線装置１４Ａを介して監視装置１１から管理センタ１２へ点滅異常を即時通知する。点滅を通知する前にチラツキを通知してある場合には、点滅は定刻送信で監視装置１１から管理センタ１２へ纏めて通知する。
【００５７】
点滅処理ブロックＡ内でステップＳ２０１へ戻って次の負荷データを受け取り、ステップＳ２０２において負荷値が移動平均値Ｎの規定範囲を超えていないと判断した後、ステップＳ２０３において負荷値が移動平均Ｎの規定範囲内に戻ったと判断すると、正常値用のカウンタＮが働き、カウンタＮのカウント数を「１」だけインクリメントする（ステップＳ２１３）。次いで、ステップＳ２０７へ移行し、負荷受け取り数が規定回数に達したか否かを判断した後、規定回数分受け取ったと判断すると、ステップＳ２０８においてカウンタＮのカウント数が規定回数と等しいか否かを判断し、カウント数が規定回数と等しいと判断すると全てのカウンタをクリアした後（ステップＳ２１４）、次の負荷値から図１３に示すステップＳ１０５へ戻り、負荷値が正常であるか否かの処理を始めから行う。
【００５８】
点滅処理ブロックＡ内でステップＳ２０１へ戻って次の負荷値を受け取り、ステップＳ２０２及びステップＳ２０３を経てステップＳ２０４において負荷値が一灯分以上の低下がないと判断すると、チラツキ用のカウンタＣが働き、カウンタＣのカウント数を「１」だけインクリメントした後（ステップＳ２１５）、この負荷値の移動平均値Ｃを計算する（ステップＳ２１６）。そして、ステップＳ２０７へ移行し、負荷受け取り数が規定回数に達したか否かを判断した後、規定回数分受け取ったと判断すると、ステップＳ２０８を経てステップＳ２０８ＡにおいてカウンタＣのカウント数が規定回数と等しいか否かを判断し、規定回数に等しいと判断すると図１６に示すチラツキ処理ブロックＣへ移行し、このブロック内の処理においてチラツキ等の異常を判断する。
【００５９】
点滅処理ブロックＡ内でステップＳ２０１へ戻って演算制御部１４Ｄにおいて次の負荷値を受け取り、ステップＳ２０２において負荷値が移動平均Ｎの規定範囲より上、即ち規定範囲を＋側に超えた値であると判断すると、カウンタＡが働き（ステップＳ２１７）、灯数が増えた場合の移動平均値Ｐを計算した後（ステップＳ２１８）、ステップＳ２０７へ移行し、負荷データを規定回数受け取ったか否かを判断し、規定回数受け取ったと判断すると、ステップＳ２０８、Ｓ２０９を経てステップＳ２１０においてカウンタＡのカウント数が規定回数と等しいと判断すると、この時の移動平均値Ｐを一灯の負荷値で除して灯数を計算した後（ステップＳ２１９）、この灯数が初期値と等しいか否かを判断する（ステップＳ２２０）。灯数が初期値と等しい判断すると照明設備は「正常」と判定し（ステップＳ２２１）、灯数を元に戻した後（ステップＳ２２２）、移動平均値Ｐを移動平均Ｎに設定し（ステップＳ２２３）、全てのカウンタをクリアし（ステップＳ２２４）、図１３に示すステップＳ１０５へ戻り、負荷値が正常であるか否かの処理を始めから行う。つまり、蛍光灯の灯数が球切れ等により減少している場合には移動平均値Ｎは灯数が少ない状態での正常値を示しているが、途中で蛍光灯を交換して灯数が初期の灯数に戻った場合にはこのことをステップＳ２１９及びステップＳ２２０の処理で把握し、ステップＳ２２２において灯数を戻すことができる。また、ステップＳ２２０において灯数が初期値と等しくないと判断すると、負荷移動平均値Ｐは現在の灯数での移動平均値Ｎの規定範囲を超えているが、初期の灯数に対する移動平均値Ｎよりも低下しているため、「球切れ」と判定した後（ステップＳ２２５）、ステップＳ２２２において灯数を現在の灯数に戻し、ステップＳ２２３において移動平均値Ｐを現在の灯数に対する移動平均値Ｎに置換した後、ステップＳ２２４において全てのカウンタをクリアして図１３に示すステップＳ１０５へ戻り、負荷値が正常であるか否かの処理を始めから行う。この際、球切れを初めて検出した場合には監視装置１１から管理センタ１２へ通知し、初めての検出でない場合には定刻通信で他の異常と一緒に纏めて通知する。
【００６０】
而して、図１３に示すステップＳ１２５または図１４に示すステップＳ２０９においてカウンタＢのカウント数が規定回数と等しいと判断すると、図１５に示す点滅処理ブロックＢへ移行し、このブロック内で演算制御部１４Ｄにおいて照明設備の球切れ異常等の有無を判断する。即ち、移動平均値Ｂを一灯の負荷値で除して現在の灯数ｎを計算した後（ステップＳ３０１）、この灯数ｎが設定値より少ないか否かを判断する（ステップＳ３０２）。灯数ｎが設定値より少ないと判断すると、引き続き灯数ｎ＝０であるか否かを判断し（ステップＳ３０３）、灯数ｎ＝０でない時には「球切れ」と判断し（ステップＳ３０４）、灯数を現在の灯数ｎに変更する（ステップＳ３０５）。この際、監視装置１１から管理センタ１２へ球切れ異常及び球切れ数を通知する。
【００６１】
点滅処理ブロックＢ内のステップＳ３０３において灯数ｎ＝０であると判断すると、「全灯切れ」と判断した後（ステップＳ３０６）、灯数＝０に設定する（ステップＳ３０７）。そして、監視装置１１から管理センタ１２へ全灯切れである旨を通知する。ステップＳ３０３においていずれの判断を行った場合も移動平均値Ｂを移動平均値Ｎに設定し直した後（ステップＳ３０８）、灯数ｎに即した出力をした後（ステップＳ３０９）、全てのカウンタをクリアし（ステップＳ３１０）、図１３に示すステップＳ１０５へ戻り、球切れ後の灯数の負荷値を正常値とし、その後の正常であるか否かの処理を始めから行う。
【００６２】
また、図１３に示すステップＳ１２３においてチラツキとの判断を行った後、図１６に示すチラツキ処理ブロックＣへ移行し、このブロック内で演算制御部１４Ｄにおいて照明設備のチラツキ異常等の有無を判断する。即ち、演算制御部１４Ｄにおいて次の負荷値を受け取った後（ステップＳ４０１）、この負荷値が移動平均値Ｎの規定範囲より上であるか否かを再び判断し（ステップＳ４０２）、この負荷値が移動平均値Ｎの規定範囲より下であると判断した後、負荷値が移動平均Ｎの規定範囲内であるか否かを判断する（ステップＳ４０３）。ここで移動平均Ｎの規定範囲内ではないと判断すると、引き続きこの負荷値のチラツキ時の移動平均値Ｃが一灯分の負荷値以上下がったか否かを判断し（ステップＳ４０４）、一灯分以上下がったと判断すると、球切れ用のカウンタＢが働き、カウント数を「１」だけインクリメントした後（ステップＳ４０５）、負荷値の移動平均値Ｂを計算する（ステップＳ４０６）。ここでカウンタＢが一灯分以上下がった負荷データを規定回数分受け取ったか否かを判断し（ステップＳ４０７）、規定回数分を受け取っていないと判断するとステップＳ４０１へ戻りステップＳ４０６までの処理を繰り返し行い、ステップＳ２０７において規定回数分受け取ったと判断するとカウンタＮのカウント数が規定回数と等しいか否かを判断する（ステップＳ４０８）。ここでカウンタＮは機能していないため、カウンタＮのカウント数が規定回数に等しくないと判断した後、カウンタＢのカウント数が規定回数と等しいか否かを判断する（ステップＳ４０９）。カウンタＢのカウント数が規定回数分に等しくないと判断すると、チラツキ用のカウンタＣのカウント数が規定回数と等しいか否かを判断する（ステップＳ４１０）。ここでカウンタＣが機能していないため、「チラツキ」と判定するステップＳ４１１をジャンプし、全てのカウンタをクリアした後（ステップＳ４１２）、ステップＳ４０１へ戻って次の負荷値を受け取る。
【００６３】
また、ステップＳ４０１において次の負荷値を受け取り、ステップＳ４０２を経てステップＳ４０２において負荷値が移動平均Ｎの規定範囲より上でなく下であると判断し、ステップＳ４０４において負荷値の移動平均値Ｃが一灯分以上下がっていないと判断すると、チラツキ用のカウンタＣのカウント数を「１」だけインクリメントした後（ステップＳ４１３）、移動平均値Ｃを計算する（ステップＳ４１４）。引き続きステップＳ４０７において規定回数分の負荷データを受け取ったか否かを判断した後、ステップＳ４０１からの処理を繰り返し、ステップＳ４０７において規定回数分の負荷値を受け取ったと判断した後、ステップＳ４０８及びステップＳ４０９を経てステップＳ４１０においてカウンタＣのカウント数が規定回数と等しいか否かを判断し、規定回数と等しいと判断するとステップＳ４１１において「チラツキ」と判断する。次いで、全てのカウンタをクリアしてステップＳ４０１へ戻る。ステップＳ４１１においてチラツキと判断すると、携帯無線装置１４Ａを介して監視装置１１から管理センタ１２へチラツキ異常を前述と同一の要領で通知する。
【００６４】
また、チラツキ処理ブロックＣの各処理を上述のようにして繰り返す間に、負荷値が正常値に戻ると、ステップＳ４０３において負荷値が移動平均値Ｎの規定範囲内であると判断した後、正常用のカウンタＮのカウント数を「１」だけインクリメントした後（ステップＳ４１５）、ステップＳ４０７へ移行してその負荷値が規定回数分の負荷データであるか否かを判断し、カウンタＮのカウント数が規定回数と等しいと判断すると、負荷値が正常に戻ったものとして全てのカウンタをクリアした後（ステップＳ４１６）、図１３に示すステップＳ１０５へ戻り、その後は正常であるか否かの処理を始めから行う。
【００６５】
また、チラツキ処理ブロックＣの各処理を上述のようにして繰り返す間に、負荷値が移動平均値Ｎの規定範囲より上になった時には、ステップＳ４０２においてその旨を判断した後、全てのカウンタをクリアした後（ステップＳ４１７）、図１４に示す点滅処理ブロックＡへ移行し、前述の点滅処理ブロックＡ内の処理を行なう。
【００６６】
以上説明したように本実施形態によれば、管理センタ１２において遠隔地に配置された照明設備の各蛍光灯の正常、異常を確実に監視することができ、しかも、一つ一つの蛍光灯の球切れによる異常の他、球切れに至るまでのチラツキ、点滅まで確実に監視し、把握することができ、チラツキ、点滅の各段階で蛍光灯を交換することができる。特に、公共の場に設置された街路灯や自動販売機等の照明設備の場合には蛍光灯のチラツキ、点滅が気になり、早期に交換することが望まれるが、本実施形態の監視システム１０を用いれば、このような事態に迅速に対応して蛍光灯を交換することができる。
【００６７】
また、データ収集器を、蛍光灯を備えた照明設備の監視装置２０として使用する場合には、監視装置２０の周辺に配置された自動販売機等の種々の照明設備を監視することができる。この監視装置２０は前述の監視用端末１４に準じた機能を有するため、監視装置２０によって蛍光灯のチラツキ、点滅、球切れを確実に把握することができ、監視システム１０に準じた作用効果を期することができる。
【００６８】
監視装置２０の場合には、監視装置２０の表示部３６のパイロットランプ２６Ａが点灯して異常を報知すると共に、ＬＥＤ２６Ｃ、２６Ｄが点灯して蛍光灯のチラツキを報知する。従って、監視員は、監視装置２０の表示部２６を見るだけで、その周辺に配置された照明設備の複数の蛍光灯それぞれの正常、異常あるいは異常に至るまでのチラツキ、点滅を知ることができ、これらの蛍光灯を交換することができる。
【００６９】
尚、本発明は上記各実施形態に何等制限されるものではなく、本発明の精神に反しない限り必要に応じて各構成要素を適宜変更することができる。
【００７０】
【発明の効果】
本発明の請求項１に記載の発明によれば、各種の設備機器の正常、異常等を一箇所から確実に監視することができる設備機器の監視装置を提供することができる。
【００７１】
また、本発明の請求項２に記載の発明によれば、蛍光灯を備えた照明設備の各蛍光灯の不点灯による異常は勿論のこと、異常に至るまでのチラツキ等の不具合も確実に監視することができる設備機器の監視装置を提供することができる。
【００７２】
また、本発明の請求項３〜請求項５に記載の発明によれば、各種の設備機器の正常、異常等を遠隔地から確実に監視することができ、また、遠隔地から設備機器が作動時間を監視して時間外の作動状況も把握することができ、延いては安全対策や省エネルギーに寄与する設備機器の監視システムを提供することができる。
【図面の簡単な説明】
【図１】図１は本発明の設備機器の監視システムの一実施形態を示すブロック図である。
【図２】図１に示す設備機器の監視システムの監視用端末を示すブロック図である。
【図３】本発明の設備機器の監視装置の一実施形態を示すブロック図である。
【図４】図１に示す設備機器の監視システムの監視用端末の監視処理を示すフローチャートである。
【図５】図１に示す設備機器の監視システムの管理センタの監視処理を示すフローチャートである。
【図６】図１に示す設備機器の監視システムの全体の時間管理を示すフローチャートである。
【図７】監視用端末の作動の有無を監視処理するフローチャートである。
【図８】照明設備の正常時の蛍光灯の負荷変動を示す説明図である。
【図９】負荷変動の移動平均値の変化を示す説明図である。
【図１０】照明設備の蛍光灯の球切れ時の負荷値の移動平均の変化を示す説明図である。
【図１１】照明設備が異常に至るまでの負荷変動を模式的に示す説明図である。
【図１２】照明設備が異常に至るまでの負荷変動を模式的に示す説明図である。
【図１３】図２に示す設備機器の監視装置の一実施形態による照明設備の監視処理を示すフローチャートである。
【図１４】図１３に示す照明設備の監視処理のフローチャートのうち、照明設備の蛍光灯が点滅等の異常に至るまでのフローチャートである。
【図１５】図１３に示す照明設備の監視処理のフローチャートのうち、照明設備の蛍光灯が球切れ等の異常に至るまでのフローチャートである。
【図１６】図１３に示す照明設備の監視処理のフローチャートのうち、照明設備の蛍光灯がチラツキ等の異常に至るまでのフローチャートである。
【符号の説明】
１０    機器設備の監視システム
１１    監視装置
１２    管理センタ
１４    監視用端末
１４Ｄ  演算制御部
１４Ｅ  メモリ（記憶部）
１６    データ収集器（検出装置）
１７    センサ（検出装置）
２０    監視装置
【図１】
2004171314.tif 000003
【図２】
2004171314.tif 000004
【図３】
2004171314.tif 000005
【図４】
2004171314.tif 000006
【図５】
2004171314.tif 000007
【図６】
2004171314.tif 000008
【図７】
2004171314.tif 000009
【図８】
2004171314.tif 000010
【図９】
2004171314.tif 000011
【図１０】
2004171314.tif 000012
【図１１】
2004171314.tif 000013
【図１２】
2004171314.tif 000014
【図１３】
2004171314.tif 000015
【図１４】
2004171314.tif 000016
【図１５】
2004171314.tif 000017
【図１６】
2004171314.tif 000018